(57)【要約】【課題】  本発明は、通常の印刷絵柄からなる第１絵柄層と、透明樹脂層の表面に形成された微細凹凸からなる第２絵柄層とを有し、第１絵柄層と第２絵柄層の相乗効果により優れた意匠性と偽造防止効果を備えた２重絵柄を有するカードを提供することである。【解決手段】  カード基材の一方の面にカード基材側から順に第１絵柄層と透明樹脂層が形成され、透明樹脂層の表面に微細凹凸からなる第２絵柄層が形成された構成、ないしはカード基材の一方の面にカード基材側から順に磁気層と隠蔽層と第１絵柄層と透明樹脂層が形成され、透明樹脂層の表面に微細凹凸からなる第２絵柄層が形成された構成からなる２重絵柄を有するカードである。【選択図】    図１
2006082374.tif 000002
【特許請求の範囲】
【請求項１】
カード基材の一方の面にカード基材側から順に第１絵柄層と透明樹脂層が形成され、透明樹脂層の表面に微細凹凸からなる第２絵柄層が形成された構成からなることを特徴とする２重絵柄を有するカード。
【請求項２】
カード基材と第１絵柄層間にカード基材側から順に磁気層と隠蔽層が形成された構成からなることを特徴とする請求項１記載の２重絵柄を有するカード。
【請求項３】
カード基材の一方の面に第１絵柄層と透明樹脂層と磁気層が順に形成され、前記磁気層が形成されていない領域において透明樹脂層の表面に微細凹凸からなる第２絵柄層が形成された構成からなることを特徴とする２重絵柄を有するカード。
【請求項４】
前記微細凹凸が、プラスチックフィルムに紫外線硬化型インキを使用してオフセット印刷された印刷絵柄層の表面形状を透明樹脂層の表面に熱転写することにより形成されたものであることを特徴とする請求項１〜３のいずれかに記載の２重絵柄を有するカード。
【請求項５】
前記微細凹凸の高さが０．２〜２μｍであることを特徴とする請求項１〜４のいずれかに記載の２重絵柄を有するカード。
【発明の詳細な説明】
【技術分野】
【０００１】
本発明は、カード基材に形成された第１絵柄層と表面に形成された微細凹凸からなる第２絵柄層を有する意匠性に優れるとともに偽造防止効果を有する２重絵柄を有するカードに関する。
【背景技術】
【０００２】
従来、偽造防止のために表面に凹凸を形成したカードとしては、エンボス可能な二軸延伸ポリエステルフィルムからなる基材の片面に凹凸の深さが基材の厚みより小さいエンボスを設けるとともに、基材の他面に略全面にわたって磁気記録層となる磁性体コーティング層を設けた構成の偽造防止磁気カード（例えば、特許文献１参照）、ないしは、基材の少なくとも片面にインクジェット用インク受容層が設けられたカード媒体において、インクジェット用インク受容層が設けられた側の表面の形状が凹凸、もしくは段差を有している構成のカード状媒体（例えば、特許文献２参照）等が知られている。
【特許文献１】実用新案登録公報第２５４１９１７号
【特許文献２】特開２００１−２１３０７３号
【０００３】
しかしながら、上記の偽造防止磁気カード及びカード状媒体のいずれにおいても、表面の凹凸がカードの全面に形成されているものであり部分的に形成されて絵柄を形成しているものではないために優れた意匠性が得られないという欠点を有している。また、前者の偽造防止磁気カードでは、表面に所定形状のエンボスが彫刻された加熱ロールを使用してエンボスを形成するものであり、後者のカード状媒体では、ガラス、金属、セラミック等の表面を化学的にエッチングしたり物理的に削ったりすることで凹凸を形成した板により熱プレスすることにより凹凸を形成するものであり、両者ともに機械的ないしは化学的にエッチングして作製した成形型を使用して表面に凹凸を形成するものであるため、凹凸型を変更することが製造面でもコスト面でもきわめて困難であり、使用するカードによって凹凸型を簡単を変更することが出来ないという欠点を有している。
【発明の開示】
【発明が解決しようとする課題】
【０００４】
本発明の目的は、微細凹凸からなる第２絵柄層を有しているので偽造防止効果が優れるとともに、カード基材の外面に形成された第１絵柄層と透明樹脂層の表面に形成された微細凹凸からなる第２絵柄層の相乗効果により優れた意匠性を有し、第２絵柄層を簡単に変更することが可能な２重絵柄を有するカードを提供することである。
【課題を解決するための手段】
【０００５】
カード基材の一方の面にカード基材側から順に第１絵柄層と透明樹脂層が形成され、透明樹脂層の表面に微細凹凸からなる第２絵柄層が形成された構成からなる２重絵柄を有するカードである。
【０００６】
上記の２重絵柄を有するカードにおいて、カード基材と第１絵柄層間にカード基材側から順に磁気層と隠蔽層が形成された構成である。
【０００７】
カード基材の一方の面に第１絵柄層と透明樹脂層と磁気層が順に形成され、前記磁気層が形成されていない領域において透明樹脂層の表面に微細凹凸からなる第２絵柄層が形成された構成からなる２重絵柄を有するカードである。
【０００８】
上記の２重絵柄を有するカードにおいて、前記微細凹凸が、プラスチックフィルムに紫外線硬化型インキを使用してオフセット印刷された印刷絵柄層の表面形状を透明樹脂層の表面に熱転写することにより形成されたものである構成である。
【０００９】
上記の２重絵柄を有するカードにおいて、前記微細凹凸の高さが０．２〜２μｍである構成である。
【発明の効果】
【００１０】
本発明の構成とすることにより、カード基材の一方の面に形成された第１絵柄層と、透明樹脂層の表面に形成された微細凹凸からなる第２絵柄層とを有する構成であるため、第１絵柄層と第２絵柄層の相乗効果により優れた意匠性が得られるとともに、優れた偽造防止効果が得られるものである。また、第２絵柄層を簡単に変更することができるので意匠の変更を容易に行うことができる。
【００１１】
請求項２に係る発明では、磁気層が表面に露出しないので意匠性に優れるとともに偽造防止効果に優れた磁気カードとすることができる。
【００１２】
請求項３に係る発明では、磁気層の特性を低下させることなく意匠性に優れるとともに偽造防止効果の優れた磁気カードとすることができる。
【００１３】
請求項４に係る発明では、オフセット印刷された印刷絵柄層の表面には微細な凹凸が形成されるので、印刷絵柄層の表面形状を透明樹脂層の表面に熱転写することにより、透明樹脂層の表面に微細凹凸からなる第２絵柄層を形成することができる。紫外線硬化型インキを使用して印刷絵柄層を形成することにより、紫外線硬化型インキは耐熱性に優れるため、印刷絵柄層の表面の微細凹凸を透明樹脂層の表面に簡単に熱転写することができる。また、微細凹凸からなる第２絵柄層はオフセット印刷により形成することができるので、第２絵柄層の絵柄の変更を短時間に簡単にコストをかけずに行うことができ、多様な絵柄からなる意匠を有するカードを簡単に作製することができる。
【００１４】
請求項５に係る発明では、見る角度を変えることにより変化する透明性のある第２絵柄層を形成することができる。
【発明を実施するための最良の形態】
【００１５】
以下、図面に基づいて本発明の実施の形態を説明する。
図１は本発明の第１実施形態の第２絵柄層が形成された面を示す平面図、図２は図１のＩ−Ｉ線断面図、図３は本発明の第２実施形態の第２絵柄が形成された面を示す平面図、図４は図３のII−II線断面図、図５は本発明の第３実施形態の図４に対応する断面図、図６は本発明の第４実施形態の図５に対応する断面図、図７は第２絵柄を形成する工程の概略を示す図であり、１，1'，1"，1"' は２重絵柄を有するカード、２は第１絵柄層、３，3'は第２絵柄層、４は磁気層、５は２軸延伸ポリエチレンテレフタレートフィルム、６は紫外線硬化型インク印刷層、11はコアー層、12はオーバーシート層、13は隠蔽層、14は透明樹脂層をそれぞれ表す。
【００１６】
本発明の第１実施形態の２重絵柄を有するカード１は図１、図２に示すとおりである。第１実施形態の磁気層４が形成された側の平面図は、図１に示すように、カード基材の全面に第１絵柄層２が形成されるとともに、所定位置にストライプ状の磁気層４が形成され、磁気層４が形成された領域を除く領域のオーバーシート層12の外面にＤＮＰの形状を有する微細凹凸からなる第２絵柄層３が形成されている。
【００１７】
第１実施形態の積層構成は、図２に示すように、コアー層11の両面に、内面に第１絵柄層２が形成されたオーバーシート層12がそれぞれ積層され、一方のオーバーシート層12の外面に磁気層４が形成され、磁気層４が形成された領域以外の領域にはオーバーシート層12の外面に微細凹凸からなる第２絵柄層３が形成された構成からなっている。第１実施形態では、オーバーシート層12の内面に形成された第１絵柄層２とオーバーシート層12の外面に形成された第２絵柄層２との相乗効果により立体感のある優れた意匠効果が得られ、また優れた偽造防止効果が得られるものである。
【００１８】
本発明の第２実施形態の２重絵柄を有するカード1'は図３、図４に示すとおりである。第２実施形態の磁気層４が形成された側の平面図は、図３に示すように、カード基材の全面に第１絵柄層２と透明樹脂層14が形成され、透明樹脂層14の表面にＤＮＰの形状の微細凹凸からなる第２絵柄層3'が形成されている。
【００１９】
第２実施形態の積層構成は、図４に示すように、コアー層11の一方の面にオーバーシート層12が積層され、オーバーシート層12の外面の所定位置にストライプ状の磁気層４が形成され、磁気層４が形成されたオーバーシート層12面の全面に隠蔽層13が形成され、隠蔽層13面に第１絵柄層２が形成され、第１絵柄層２面に透明樹脂層14が全面に形成され、透明樹脂層14の表面の全面にＤＮＰの形状の微細凹凸からなる第２絵柄層3'が形成されるとともに、コアー層11の他方の面に内面に第１絵柄層２が形成されたオーバーシート層12が積層された構成からなっている。第２実施形態においては、磁気層４が隠蔽層13により隠蔽されて表面に露出せず、且つ、カードの全面に形成された第１絵柄層２と第１絵柄層２の表面に形成された透明樹脂層14の全面に形成された第２絵柄層3'との相乗効果により立体感のある優れた意匠効果が得られるとともに、優れた偽造防止効果が得られる。
【００２０】
本発明の第３実施形態の２重絵柄を有するカード1"の磁気層４が形成された側の平面図は第２実施形態と同様に図３に示すとおりであり、積層構成は図５に示すとおりである。第３実施形態の積層構成は、図５に示すように、コアー層11の一方の面の所定位置に磁気層４が形成され、磁気層４が形成されたコアー層11の面の全面に隠蔽層13が形成され、隠蔽層13面の全面に第１絵柄層２と透明樹脂層14が形成され、透明樹脂層14の表面の全面に第２絵柄層3'が形成されるとともに、コアー層11の他方の面に第１絵柄層２と透明樹脂層14が順に積層された構成からなっている。第３実施形態では、カードの厚さが薄くなっている点を除けば意匠効果及び偽造防止効果は第２実施形態と同じである。
【００２１】
本発明の第４実施形態の２重絵柄を有するカード1"' の平面図は第２実施形態と同様に図３に示すとおりであり、積層構成は図６に示すとおりである。第４実施形態の積層構成は、図６に示すように、コアー層11の両方の面に第１絵柄層２と透明樹脂層14が順に形成され、一方の透明樹脂層14の表面の全面に第２絵柄層3'が形成された構成である。第４実施形態は、意匠効果及び偽造防止効果は第３実施形態と同じであり、厚さが薄い磁気層を有しない一般カードとして使用できるものである。
【００２２】
第１実施形態の２重絵柄を有するカード１において、オーバーシート層12の表面に第２絵柄層３を形成する方法は、図６に示すように、コアー層11の両面に、内面に第１絵柄層２が形成されたオーバーシート層12をそれぞれ積層し、一方のオーバーシート層12の外面の所定位置に磁気層４を形成したカード基材を作製した後、作製したカード基材の磁気層４が形成された面に、磁気層４が形成された領域以外の領域に対応するように、２軸延伸ポリエチレンテレフタレートフィルム５面にＤＮＰの形状の紫外線硬化型インク印刷層６を形成したシートの紫外線硬化型インク印刷層６が接するように重ね合わせて熱プレスすることにより、カード基材の磁気層４が形成されたオーバーシート層12の外面にＤＮＰの形状の微細凹凸からなる第２絵柄層３が転写されて形成されるものである。熱プレスにより第２絵柄層を形成する際の温度としては７０〜１００℃とするのが適当である。温度が高すぎると紫外線硬化型インク印刷層６がオーバーシート層に転移してしまうおそれがあり、温度が低すぎると微細凹凸の透明樹脂層表面への転写が不完全になる。
【００２３】
第２実施形態の２重絵柄を有するカード1'の場合は、外面から順に透明樹脂層14と第１絵柄層２と隠蔽層13と磁気層４とオーバーシート層12とコアー層11と第１絵柄層２とオーバーシート層12が積層されたカード基材の透明樹脂層14面に、また、第３実施形態の２重絵柄を有するカード1"の場合は、外面から順に透明樹脂層14と第１絵柄層２と隠蔽層13と磁気層４とコアー層11と第１絵柄層２と透明樹脂層14が形成されたカード基材の磁気層４のある側の透明樹脂層14面に、それぞれ、２軸延伸ポリエチレンテレフタレートフィルム５面にＤＮＰの形状の紫外線硬化型インク印刷層６を形成したシートの紫外線硬化型インク印刷層６が接するように重ね合わせて熱プレスすることにより、透明樹脂層14の表面に紫外線硬化型インク印刷層６の表面の微細凹凸が転写されて第２絵柄層３が形成される。第２〜第４実施形態においても、熱プレスにより第２絵柄層を形成する際の温度としては７０〜１００℃とするのが適当である。
【００２４】
２軸延伸ポリエチレンテレフタレートフィルム５に紫外線硬化型インクを使用してオフセット印刷により紫外線硬化型インク印刷層６を形成することにより、オフセット印刷時にブランケット面のインキが２軸延伸ポリエチレンテレフタレートフィルム５面に転移して印刷される際に、インキのタックにより印刷された紫外線硬化型インク印刷層６の表面に微細凹凸が形成されるので、その微細凹凸をオーバーシート層ないしは透明樹脂層の表面に転写することより第２絵柄層を形成することができる。紫外線硬化型インクを使用することにより、紫外線硬化型インクは紫外線照射により即硬化するので印刷層の表面凹凸が印刷時のまま保持することができるとともに、熱プレス時における印刷層の耐熱性を良くすることができるものである。微細凹凸の形状は紫外線硬化型インクの種類、印刷時のインクのタック、印刷速度等により高さが０．２〜２μｍの異なった微細凹凸を形成することができる。実施形態における第２絵柄層３の形状は、オフセット印刷により形成するものであるため、第２絵柄層の形状を簡単に変更することが可能となるものである。
【００２５】
カードを構成するコアー層、オーバーシート層として使用できる樹脂は、剛性があり強度的に優れた熱可塑性樹脂であれば特に限定されないが、ポリ塩化ビニル、ポリエチレンテレフタレート、ポリブチレンテレフタレート、ＰＥＴ−Ｇ等の共重合ポリエステル樹脂、ＡＢＳ樹脂等が使用できる。オーバーシート層は透明のものが使用され、コアー層は白色に着色したものないしは白色にベタ印刷されたものを使用するのが普通である。
【図面の簡単な説明】
【００２６】
【図１】本発明の第１実施形態の第２絵柄が形成された面を示す平面図。
【図２】図１のＩ−Ｉ線断面図。
【図３】本発明の第２実施形態の第２絵柄が形成された面を示す平面図。
【図４】図３のII−II線断面図。
【図５】本発明の第３実施形態の図４に対応する断面図。
【図６】本発明の第４実施形態の図５に対応する断面図、
【図７】第２絵柄を形成する工程の概略を示す図。
【符号の説明】
【００２７】
１，1'，1"，1"'   ２重絵柄を有するカード
２  第１絵柄層
３，3'  第２絵柄層
４  磁気層                                                                      ５  ２軸延伸ポリエチレンテレフタレートフィルム
６  紫外線硬化型インク印刷層
11  コアー層
12  オーバーシート層
13  隠蔽層
14  透明樹脂層
【図１】
2006082374.tif 000003
【図２】
2006082374.tif 000004
【図３】
2006082374.tif 000005
【図４】
2006082374.tif 000006
【図５】
2006082374.tif 000007
【図６】
2006082374.tif 000008
【図７】
2006082374.tif 000009